【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
下層ポリマー基材内に少なくとも１種の第一蛍光染料を含む下層着色蛍光フィルム、
上層ポリマー基材内に少なくとも１種の第二蛍光染料を有する上層着色蛍光フィルム
を含むシート物品であって、
該上層着色蛍光フィルムが、ポリカーボネート、アクリル樹脂、ポリアリレート樹脂、ポリメチルメタクリル樹脂及びそれらの組合せ、並びにそれらのコポリマーから成る群より選択されるポリマー構造を有し、そして該下層着色フィルムに比べてより良好な蛍光色安定性を有し、
該物品が、該下層着色蛍光フィルムの上に該上層着色蛍光フィルムを有し、そして、
該物品が、該下層着色蛍光フィルム及び該上層着色蛍光フィルムの両方と異なる選択された蛍光着色を有する、前記物品。
【請求項２】
該下層ポリマー基材が、アクリル樹脂、ポリスチレン、ポリ塩化ビニル、ポリエステル、ポリアリレート、スチレン−アクリロニトリルコポリマー、ポリウレタン及びそれらの組合せ、並びにそれらのコポリマーから成る群より選択されるポリマー構造を有する、請求項１記載の物品。
【請求項３】
該物品の該選択された蛍光着色が、ベンゾキサンテン、ベンゾチアジン、ペリレン、ペリレンイミド、ペリレンエステル、チオキサンテン、チオインジゴイド、及びそれらの組合せから成る群より選択される染料によって提供されるような、蛍光黄色、蛍光黄緑色、蛍光オレンジ色、蛍光赤色、蛍光青色及び蛍光緑色から成る群より選択される、請求項１又は２に記載の物品。
【請求項４】
該選択された蛍光着色が：（ｘ＝０．４７９，ｙ＝０．５２０），（ｘ＝０．４４６，ｙ＝０．４８３），（ｘ＝０．５１２，ｙ＝０．４２１）及び（ｘ＝０．５５７，ｙ＝０．４４２）によって規定される“ｘ”及び“ｙ”色度座標を有する蛍光黄色である、請求項１〜３のいずれか１項に記載の物品。
【請求項５】
該上層着色蛍光フィルムが、ＵＶ光及び可視光を遮断する特性；約２５０ｎｍ〜約５２０ｎｍの波長を有する光を実質的に遮断する特性；該下層フィルムに比べて脆弱ではなく、該物品が該下層に比べてより大きな耐衝撃性を有する特性；及びそれらの組合せから成る群より選択される特性を有する、請求項１〜４のいずれか１項に記載の物品。
【請求項６】
該上層着色蛍光フィルムが約２８０ｎｍ〜約４５０ｎｍの波長を有する光を実質的に遮断する、請求項１〜５のいずれか１項に記載の物品。
【請求項７】
該第二蛍光染料が、該第一染料に比べて、より大きな昼間輝度率“Ｙ％”を有する、請求項１〜６のいずれか１項に記載の物品。
【請求項８】
該物品が再帰反射性要素を含む、請求項１〜７のいずれか１項に記載の物品。
【請求項９】
該再帰反射性要素がマイクロプリズム要素であり、該下層が該上層と該再帰反射性要素との間に存在する、請求項８記載の物品。
【請求項１０】
該再帰反射性要素を該下層中に形成する、請求項８又は９に記載の物品。
【請求項１１】
該再帰反射性要素を配置して、封入レンズ型再帰反射性構造又は密閉レンズ型構造を提供する、請求項８〜１０のいずれか１項に記載の物品。
【請求項１２】
該物品が、屋外条件に対する長期曝露後に、該下層又は該上層のいずれかのΔＥ*値に比べて実質的により低いΔＥ*値を有する、請求項１〜１１のいずれか１項に記載の物品。
【請求項１３】
ＵＶ吸収体、ＨＡＬＳ成分及びそれらの組合せから成る群より選択される光安定剤を更に含み、該光安定剤が該下層及び該上層のいずれか又は両方の中に存在する、請求項１〜１２のいずれか１項に記載の物品。
【請求項１４】
該第一蛍光染料が該第二蛍光染料と異なる、請求項１〜１３のいずれか１項に記載の物品。
【請求項１５】
該物品が少なくとも３年間の屋外使用に適する標識であり、該下層着色蛍光フィルム及び該上層着色蛍光フィルムのそれぞれは、ＵＶ光耐久性必要条件と、該選択された蛍光着色を有する屋外標識に関する着色法遵守とを満たすには単独では不適であるが、該物品では該必要条件及び標準を満たす、請求項１〜１４のいずれか１項に記載の物品。
【請求項１６】
アクリル樹脂、ポリアリレート樹脂、又はそれらの組合せ若しくはそれらのコポリマーから成っていて、ＵＶ光遮断特性を提供し、該上層の上に配置されているキャップ層フィルムを更に含む、請求項１〜１５のいずれか１項に記載の物品。
【請求項１７】
ポリマー樹脂と場合により少なくとも１種類の追加のポリマーとを含むキャップ層ポリマーフィルムを更に含む、請求項１〜１５のいずれか１項に記載の物品であって、該ポリマー樹脂が、
（ｉ）下式：
【化１】
2005528249.tif 000001
（式中、Ｒは非干渉置換基であり、及びＰはポリマーの残部である）で表される繰り返し部分Ａを含むポリマー主鎖を有していて、それにより紫外線を吸収できるポリマー；及び
（ｉｉ）下式：
【化２】
2005528249.tif 000002
（式中、Ｒは非干渉置換基であり、及びＰはポリマーの残部である）で表される繰り返し部分Ｂを含むポリマー主鎖を有していて、該部分Ｂが光転位により該部分Ａへと変形可能であり、それにより、部分Ａを含む紫外線吸収ポリマーへと変化させることができるポリマー
から成る群より選択される、少なくとも１種類のポリマー、又はそれらの混合物を含み、
該物品が、該下層着色蛍光フィルム上に該上層着色蛍光フィルムを有し、該キャップ層が該上層
該物品が、該下層着色蛍光フィルム及び該上層着色蛍光フィルムの両方と異なる選択された蛍光着色を有する、前記物品。
【請求項１８】
該キャップ層が、下式：
【化３】
2005528249.tif 000003
で表される繰り返し構造Ｉ及びＩＩの一つ又は両方を含むポリアリレートポリマーから成る群より選択されるポリマーと、少なくとも１種の追加のポリマーとの配合物とを含む、請求項１６又は１７に記載の物品。
【請求項１９】
該追加のポリマーを、ポリカーボネート、ポリ（シクロヘキサンジメタノールテレフタレート）、ポリ（シクロヘキサンジメタノール−コ−エチレンテレフタレート）、及びそれらの配合物から成る群より選択する、請求項１８記載の物品。
【請求項２０】
請求項１〜１９のいずれか１項に記載のシート物品を製造する方法であって：
第一ポリマー樹脂と少なくとも１種類の第一染料とを組合せて、下層配合物とし；
第二ポリマー樹脂と少なくとも１種類の第二染料とを配合して、上層配合物とし、該第二ポリマー樹脂が、ポリカーボネート、アクリル樹脂、ポリアリレート樹脂、ポリメチルメタクリル樹脂及びそれらの組合せ、並びにそれらのコポリマーから成る群より選択されるポリマー構造を有し；
該下層配合物を成形して下層着色フィルムとし、該上層配合物を成形して上層着色フィルムとし、該上層着色フィルムは、該下層着色フィルムに比べてより大きな蛍光色安定性を有し、該着色フィルムの少なくとも１つは蛍光着色フィルムであり；そして
該上層着色フィルムを該下層着色フィルム上に配置して、選択された蛍光着色を有する多重層蛍光シートを提供すること
を含む、前記方法。
【請求項２１】
該下層着色フィルムが、該上層着色フィルムと再帰反射性要素との間に存在するように、該シートに該再帰反射性要素を加えることを更に含む、請求項２０記載の方法。
【請求項２２】
該上層着色フィルムが、ポリマーキャップ層と該下層着色フィルムとの間に存在するように、該ポリマーキャップ層を該上層着色フィルム上に配置することを更に含む、請求項２０又は２１に記載の方法。